(57)【要約】【課題】少ない部品で鏡と収納棚を設置することができて、部品点数を低減させて取付作業に手間、時間がかからない収納棚付き鏡取付け枠を提供する。【解決手段】壁面１に取付けられる上枠２及び下枠３からなる収納棚付き鏡取付け枠４である。上枠２は、壁面１に固定される上固定部２１と、上固定部２１から連設され鏡５の上端部の前面が前方に移動するのを規制する上保持部２２と、を備える。下枠３は、壁面１に固定される下固定部３１と、下固定部３１から連設され鏡５の下端部が載置される鏡支持部３２と、鏡５支持部３２から連設され鏡５の下端部の前面が前方に移動するのを規制する下保持部３３と、を備える。上枠２又は下枠３に、壁面１より離れる方に連設され上面が載置面となる収納棚６を設ける。【選択図】        図１
2010253068.tif 000002
【特許請求の範囲】
【請求項１】
壁面に取付けられる上枠及び下枠からなる収納棚付き鏡取付け枠であって、上枠は、壁面に固定される上固定部と、上固定部から連設され鏡の上端部の前面が前方に移動するのを規制する上保持部と、を備え、下枠は、壁面に固定される下固定部と、下固定部から連設され鏡の下端部が載置される鏡支持部と、鏡支持部から連設され鏡の下端部の前面が前方に移動するのを規制する下保持部と、を備え、上枠又は下枠に、壁面より離れる方に連設され上面が載置面となる収納棚を設けて成ることを特徴とする収納棚付き鏡取付け枠。
【請求項２】
上枠は、上枠本体と上枠本体に被嵌される上枠カバーとで構成され、上枠本体は、壁面に固定され上端部の背面と壁面との間にカバー嵌入隙間が形成されるように上端部を曲げてなる上固定部と、上固定部から連設され鏡の上端部の前面が前方に移動するのを規制する上保持部とを備え、上枠カバーは、下端部がカバー嵌入隙間に嵌入される嵌入片と、嵌入片から連設され下端が上保持部の上面に載置される連設片と、連設片から連設され上保持部を覆い隠す覆い片と、連設片から連設され壁面から離れる方に突出する収納棚とを備えて成ることを特徴とする請求項１記載の収納棚付き鏡取付け枠。
【発明の詳細な説明】
【技術分野】
【０００１】
本発明は、収納棚付き鏡取付け枠に関するものである。
【背景技術】
【０００２】
従来から、例えば浴室等においては、鏡が設置されるとともに鏡に隣接して収納棚が設置され、使用者が鏡を見ながら収納棚に載置収納されているシャンプーやリンスや石鹸のような洗剤類や、ブラシや剃刀のような小物や、その他の浴室用品等を取り易いように設計されている（例えば特許文献１、特許文献２参照）。
【０００３】
特許文献１に示される従来例では、鏡の下端部が壁面に固定される下フレームに保持されると共に、鏡の上端部が上フレームに保持され、洗剤類や小物等が収納可能な収納部がサイドキャビネットに設けてある。この従来例にあっては、鏡を取付けるための部材である下フレーム及び上フレームと、収納部が設けられるサイドキャビネットとが別体であり、部品点数が増えると共に取付け作業がそれぞれ別であるため作業に手間、時間がかかってしまう、という問題があった。
【０００４】
また特許文献２に示される従来例では、鏡とシャンプー等の容器が載置される載置棚とがカウンタに一体的に設けてある。この従来例にあっては、鏡を取付けるための部材と載置棚とをともにカウンタに一体的に設けてあるため、部品点数が増えたり取付け作業に手間、時間がかかることはないものの、カウンタは鏡の上端部と下端部を保持する単純な枠ではなく大掛かりなものであって、装置が大型で設置の自由度が低い、という問題があった。
【先行技術文献】
【特許文献】
【０００５】
【特許文献１】特開２００６−９４９３９号公報
【特許文献２】特開２００２−１７２０７０号公報
【発明の概要】
【発明が解決しようとする課題】
【０００６】
本発明は上記の従来の問題点に鑑みて発明したものであって、その目的とするところは、少ない部品で鏡と収納棚とを設置することができて、部品点数を低減させて取付け作業に手間、時間がかかることのない収納棚付き鏡取付け枠を提供することを課題とするものである。
【課題を解決するための手段】
【０００７】
上記課題を解決するために請求項１に係る発明は、壁面１に取付けられる上枠２及び下枠３からなる収納棚付き鏡取付け枠４である。上枠２は、壁面１に固定される上固定部２１と、上固定部２１から連設され鏡５の上端部の前面が前方に移動するのを規制する上保持部２２と、を備える。下枠３は、壁面１に固定される下固定部３１と、下固定部３１から連設され鏡５の下端部が載置される鏡支持部３２と、鏡支持部３２から連設され鏡５の下端部の前面が前方に移動するのを規制する下保持部３３と、を備える。上枠２又は下枠３に、壁面１より離れる方に連設され上面が載置面となる収納棚６を設けて成ることを特徴とするものである。
【０００８】
請求項２に係る発明は、請求項１に係る発明において、上枠２は、上枠本体２ａと上枠本体２ａに被嵌される上枠カバー２ｂとで構成され、上枠本体２ａは、壁面１に固定され上端部の背面と壁面１との間にカバー嵌入隙間２０が形成されるように上端部が曲がった上固定部２１と、上固定部２１から連設され鏡５の上端部の前面が前方に移動するのを規制する上保持部２２とを備え、上枠カバー２ｂは、下端部がカバー嵌入隙間２０に嵌入される嵌入片２５と、嵌入片２５から連設され下端が上保持部２２の上面に載置される連設片２６と、連設片２６から連設され上保持部２２を覆い隠す覆い片２７と、連設片２６の下端から壁面１から離れる方に突出する収納棚６とを備えて成ることを特徴とするものである。
【発明の効果】
【０００９】
本発明においては、鏡を取付けるための上枠又は下枠と収納棚とが一体となって、部品点数の低減を図ることができると共に、手間と時間がかかる取付け作業も不要となる。また、上枠又は下枠に一体に収納棚を形成するため、大掛かりなものとなることがなく、設置の自由度が高い。
【図面の簡単な説明】
【００１０】
【図１】本発明の一実施形態を示し、（ａ）は収納棚付き鏡取付け枠により鏡を取付けた壁面の断面図であり、（ｂ）は斜視図（但し下枠を除く）である。
【図２】他の実施形態を示し、（ａ）は収納棚付き鏡取付け枠により鏡を取付けた壁面の断面図であり、（ｂ）は上枠カバーを上枠本体から取り外した状態の断面図である。
【図３】収納棚を備えていない上枠カバーの断面図である。
【発明を実施するための形態】
【００１１】
以下、本発明の一実施形態について図１に基いて説明する。
【００１２】
収納棚付き鏡取付け枠４は、浴室等の部屋の壁面１に取付けられる上枠２及び下枠３で構成される。
【００１３】
上枠２は、上固定部２１と、上保持部２２と、収納棚６とを備えている。上固定部２１は、壁面１に固定されるもので、本実施形態では正面視略矩形の板状をしており、左右方向の長さは、鏡５の左右方向の長さと同じかそれより若干長くなるように形成している。上固定部２１には、固着具挿通孔（図示せず）が穿設してあり、ビスや釘等の固着具（図示せず）を前記固着具挿通孔を介して壁面１に固着することで壁面１に取付けられる。図示しないが、固着具挿通孔は、固着具を仮固定した状態（上枠２が動き得る程度に該固着具挿通孔を介して固着具を壁面１に固着した状態）で、固着具が該固着具挿通孔内で上下に移動し得る長孔としてもよい。
【００１４】
上保持部２２は、上固定部２１から連設されて、鏡５の上端部の前面が前方に移動するのを規制するものである。本実施形態では、上固定部２１の壁面１に固定される面と反対側の面から、壁面１から離れる方に突出する上横片２３と、該上横片２３の前端部から下方に突出する上縦片２４とが設けてあり、上縦片２４が鏡５の上端部の前面が前方に移動するのを規制する上保持部２２となる。
【００１５】
収納棚６は、本実施形態では、上述した上保持部２２の上横片２３と連続するように、上横片２３の前端部から壁面１から離れる方に突出する上棚片６１を設け、上棚片６１及び上横片２３の上面を収納棚６の載置面としている。
【００１６】
下枠３は、下固定部３１と、鏡支持部３２と、下保持部３３と、収納棚６とを備えている。下固定部３１は、壁面１に固定されるもので、本実施形態では上固定部２１と同様に、正面視略矩形の板状をしており、左右方向の長さは、鏡５の左右方向の長さと同じかそれより若干長くなるように形成している。下固定部３１には、固着具挿通孔（図示せず）が穿設してあり、ビスや釘等の固着具（図示せず）を前記固着具挿通孔を介して壁面１に固着することで壁面１に取付けられる。
【００１７】
本実施形態では、下固定部３１の壁面１に固定される面と反対側の面から、壁面１から離れる方に突出する下横片３４と、該下横片３４の前端部から上方に突出する下縦片３５とが設けてあり、下横片３４が鏡５の下端部が載置され鏡５を支持する鏡支持部３２となると共に、下縦片３５が鏡５の上端部の前面が前方に移動するのを規制する下保持部３３となる。
【００１８】
収納棚６は、本実施形態では、上述した下横片３４と連続するように、下横片３４の前端部から壁面１から離れる方に突出する下棚片６２が設けてあり、下棚片６２の上面が収納棚６の載置面となる。
【００１９】
鏡５の取付けは、下枠３を壁面１に固定して鏡５の下端部を鏡支持部３２に載置した後、鏡５の上端部を上保持部２２で保持して上枠２を壁面１に固定する。上枠２の固着具挿通孔が長孔である場合には、まず下枠３を壁面１に固定すると共に、上枠２を仮固定して上枠２を鏡５の上端がくる位置よりも上方に位置させ、鏡５の下端部を鏡支持部３２に載置した後、上枠２を下方に移動させて鏡５の上端部を上保持部２２で保持する。その後、上枠２が動かないように固着具を本固定してもよい。
【００２０】
そして、収納棚６にシャンプーやリンスや石鹸のような洗剤類や、ブラシや剃刀をはじめとする種々の軽量の収納物７が載置収納される。
【００２１】
本発明にあっては、鏡５を取付けるための上枠２又は下枠３と収納棚６とが一体となって、部品点数の低減を図ることができると共に、手間と時間がかかる取付け作業も不要となる。
【００２２】
また、収納棚６が一体に設けられるのは上枠２又は下枠３であるため、大掛かりなものとなることがなく、設置の自由度が高いものである。
【００２３】
なお、本実施形態では上枠２及び下枠３に収納棚６を一体に設けてあるが、上枠２のみ又は下枠３のみに収納棚６を一体に設けてもよい。
【００２４】
次に、他の実施形態について図２に基づいて説明する。本実施形態は大部分が上記実施形態と同じであるため、同じ部分については説明を省略し、主に異なる部分について説明する。
【００２５】
本実施形態では、上枠２は、上枠本体２ａと、上枠本体２ａに被嵌される上枠カバー２ｂとで構成され、上枠カバー２ｂに収納棚６が設けてある。
【００２６】
上枠本体２ａは、上固定部２１と上保持部２２とを備えている。上固定部２１は、壁面１に固定されるもので、正面視略矩形の板状をしており、左右方向の長さは、鏡５の左右方向の長さと同じかそれより若干長くなるように形成している。上固定部２１の壁面１に固定される面と反対側の面から、上横片２３と上縦片２４とからなる下向き略Ｌ字状をした上保持部２２が突設される。そして、上固定部２１の上保持部２２が突設する箇所よりも上側に固着具２１ｂが挿通される固着具挿通孔２１ａが穿設してある。
【００２７】
また、上固定部２１の上端部は、壁面１から離れる方に曲げてあり、上固定部２１が壁面１に取付けられた時に上端部の背面と壁面１との間にカバー嵌入隙間２０が形成されるようになっている。
【００２８】
上枠カバー２ｂは、嵌入片２５と、連設片２６と、覆い片２７と、棚片６３とからなる。嵌入片２５は、下端部がカバー嵌入隙間２０に嵌入されるもので、下端部の前面に係止部２８が突設してあり、これに対応して上枠本体２ａの上固定部２１の上端部の背面に係止部２１ｃが突設してあり、両係止部２８、２１ａにより嵌入片２５がカバー嵌入隙間２０から抜けるのが防止される。
【００２９】
連設片２６は、嵌入片２５の前端から前方に連設されると共に下方に屈曲する下向き略Ｌ字状をしており、上固定部２１の上保持部２２よりも上側の部分を覆って、固着具挿通孔２１ａを隠している。連設片２６の下端は上保持部２２の上横片２３の上面に載置され、収納物７が載置された棚片６３にかかる荷重及びモーメントを受けるようになっている。棚片６３は、連設片２６の下端から、壁面１から離れる方に突出して、上面が載置面となる収納棚６となる。覆い片２７は、連設片２６の下端から下方に連設され、上枠本体２ａの上保持部２２の上縦片２４を覆い隠している。
【００３０】
本実施形態では、上枠２を構成する上枠カバー２ｂと収納棚６とが一体となって、部品点数の低減を図ることができると共に、手間と時間がかかる取付け作業も不要となる。
【００３１】
また、収納棚６が一体に取付けられるのが上枠２であるため、大掛かりなものとなることがなく、設置の自由度が高いものである。
【００３２】
また本実施形態では、上枠２に収納棚６を設けない場合、上述した上枠カバー２ｂの代わりに収納棚６を備えていない上枠カバー２ｂ’を取付けてもよい。これにより、収納棚６が不要な場合に容易に対応可能となる。
【符号の説明】
【００３３】
１    壁面
２    上枠
２ａ  上枠本体
２ｂ  上枠カバー
２０  カバー嵌入隙間
２１  上固定部
２１ａ  固着具挿通孔
２１ｂ  固着具
２１ｃ  係止部
２２  上保持部
２３  上横片
２４  上縦片
２５  嵌入片
２６  連設片
２７  覆い片
２８  係止部
３    下枠
３１  下固定部
３２  鏡支持部
３３  下保持部
３４  下横片
３５  下縦片
４    収納棚付き鏡取付け枠
５    鏡
６    収納棚
６１  上棚片
６２  下棚片
６３  棚片
７    収納物
【図１】
2010253068.tif 000003
【図２】
2010253068.tif 000004
【図３】
2010253068.tif 000005